【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
入力ビデオフレームのシーケンスに対応するデジタルビデオデータをエンコードする方法であって、前記入力ビデオフレームはビデオエンコーディング装置によって出力ビデオフレームのシーケンスにエンコードされ、前記方法は、
第１のイントラフレームを作成するため、イントラフレームエンコーディングを使用して、前記ビデオエンコーディング装置の第１のエンコーダインスタンス（５）で、前記入力ビデオフレームのシーケンスの第１の入力ビデオフレームをエンコードすること（１０２）、ここで第１のエンコーダは、前記第１のイントラフレームを含むイントラフレームを、後続の保存又は表示のためにバッファに送信せずに破棄する出力を含む、
第１のデコードされたフレームを作成するため、前記ビデオエンコーディング装置のデコーダによって、前記第１のイントラフレームをデコードすること（１０３）、ここで前記デコーダは、デコードされたイントラフレームを第２のエンコーダインスタンスに提供する、及び
第１の出力ビデオフレームを作成するため、前記第２のエンコーダインスタンス（９）で前記第１のデコードされたフレームをエンコードすること（１０４）、ここで前記第２のエンコーダインスタンスは、イントラモード及びインターモード予測を用いて、前記第１の出力ビデオフレームを含むビデオストリームを出力する、
を含む方法。
【請求項２】
表示に使用される前に、エンコードされた前記第１のイントラフレームを破棄することを更に含む、請求項１に記載の方法。
【請求項３】
第２のイントラフレームを作成するため、イントラフレームエンコーディングを使用して、前記第１のエンコーダインスタンス（５）で第２の入力ビデオフレームをエンコードすること、
第２のデコードされたフレームを作成するため、前記第２のイントラフレームをデコードすること、
第２の出力ビデオフレームを作成するため、前記第２のエンコーダインスタンス（９）で前記第２のデコードされたフレームをエンコードすること
を更に含み、
前記第１の出力ビデオフレームを作成するため、前記第１のデコードされたフレームをエンコードする動作は、前記第２のイントラフレームを作るため、前記第２の入力ビデオフレームをエンコードする動作と連係して実行される、請求項１又は２に記載の方法。
【請求項４】
表示に使用される前に、エンコードされた前記第２のイントラフレームを破棄することを更に含む、請求項３に記載の方法。
【請求項５】
前記第１のエンコーダインスタンス（５）はＪＰＥＧエンコーダである、請求項１から４のいずれか一項に記載の方法。
【請求項６】
前記第１のエンコーダインスタンス（５）はブロックベースのハイブリッドエンコーダである、請求項１から４のいずれか一項に記載の方法。
【請求項７】
前記第１のエンコーダインスタンス（５）は前記第１のイントラフレームをデコードして、インターフレームエンコーディングで利用可能な第１の参照フレームの形態で前記第１のデコードされたフレームを作成する、請求項６に記載の方法。
【請求項８】
前記第１のデコードされたフレームは、イントラフレーム又はインターフレームエンコーディングを使用して、前記第２のエンコーダインスタンス（９）でエンコードされる、請求項１から７のいずれか一項に記載の方法。
【請求項９】
前記第１のエンコーダインスタンス（５）は、第１の圧縮率を使用して前記第１のビデオ入力フレームをエンコードし、前記第２のエンコーダインスタンス（９）は、第２の圧縮率を使用して前記第１のデコードされたフレームをエンコードし、前記第２の圧縮率は前記第１の圧縮率より高い又は同等である、請求項１から８のいずれか一項に記載の方法。
【請求項１０】
入力ビデオフレームのシーケンスに対応するビデオデータをエンコードするためのビデオエンコーディング装置を含むデジタルビデオエンコーダシステムであって、前記システム（３）は、
エンコードされたフレームを作成するため、イントラフレームエンコーディングを使用して、前記入力ビデオフレームをエンコードするように構成された前記ビデオエンコーディング装置の第１のエンコーダインスタンス（５）、ここで第１のエンコーダは、前記第１のイントラフレームを含むイントラフレームを、後続の保存又は表示のためにバッファに送信せずに破棄する出力を含む、
前記第１のエンコーダインスタンスに関連付けられたデコーダインスタンス（６）であって、前記エンコードされたフレームをデコードするように構成されたデコーダインスタンス（６）、ここでデコーダは、前記ビデオエンコーディング装置の一部であって、デコードされたイントラフレームを第２のエンコーダインスタンス（９）に提供するように構成されている、及び
エンコードされた出力フレームを作成するため、前記デコードされたフレームをエンコードするように構成された第２のエンコーダインスタンス（９）、ここで第２のエンコーダは、イントラモード及びインターモード予測を用いて、前記エンコードされた出力フレームを含むビデオストリームを出力する、
を含むシステム（３）。
【請求項１１】
前記第１のエンコーダインスタンス（５）は、前記デコーダインスタンス（６）が前記エンコードされたフレームをデコードすると、前記エンコードされたフレームを破棄するように構成されている、請求項１０に記載のエンコーダシステム。
【請求項１２】
前記第１及び第２のエンコーダインスタンス（５、９）は、連係して動作するように構成されている、請求項１０又は１１に記載のエンコーダシステム。
【請求項１３】
前記第１のエンコーダインスタンス（５）はＪＰＥＧエンコーダである、請求項１０から１２のいずれか一項に記載のエンコーダシステム。
【請求項１４】
前記第１のエンコーダインスタンス（５）はブロックベースのハイブリッドエンコーダである、請求項１０から１２のいずれか一項に記載のエンコーダシステム。
【請求項１５】
前記デコーダインスタンス（６）は、インターフレームエンコーディングで利用可能な参照フレームの形態でデコードされたフレームを作成するため、前記イントラフレームをデコードするように構成されている、請求項１４に記載のエンコーダシステム。
【請求項１６】
前記第２のエンコーダインスタンス（９）は、イントラフレーム及びインターフレームエンコーディングを使用して、前記デコードされたフレームをエンコードすることができる、請求項１０から１５のいずれか一項に記載のエンコーダシステム。
【請求項１７】
前記第１のエンコーダインスタンス（５）は、第１の圧縮率を使用して前記入力ビデオフレームをエンコードするように構成されており、前記第２のエンコーダインスタンス（９）は、第２の圧縮率を使用して前記デコードされたフレームをエンコードするように構成されており、前記第２の圧縮率は前記第１の圧縮率より高い又は同等である、請求項１０から１６のいずれか一項に記載のエンコーダシステム。
【請求項１８】
請求項１０から１７のいずれか一項に記載のデジタルビデオエンコーダシステム（３）を備えるカメラ。
【請求項１９】
デジタルビデオエンコーダシステムで実行されたときに、処理システムに、
第１のイントラフレームを作成するため、イントラフレームエンコーディングを使用して、ビデオエンコーディング装置の第１のエンコーダインスタンスで、入力ビデオフレームのシーケンスの第１の入力ビデオフレームをエンコードすること、ここで第１のエンコーダは、前記第１のイントラフレームを含むイントラフレームを、後続の保存又は表示のためにバッファに送信せずに破棄する出力を含む、
第１のデコードされたフレームを作成するため、前記ビデオエンコーディング装置のデコーダによって、前記第１のイントラフレームをデコードすること、ここで前記デコーダは、デコードされたイントラフレームを第２のエンコーダインスタンスに提供する、及び
第１の出力ビデオフレームを作成するため、前記第２のエンコーダインスタンスで前記第１のデコードされたフレームをエンコードすること、ここで前記第２のエンコーダインスタンスは、イントラモード及びインターモード予測を用いて、前記第１の出力ビデオフレームを含むビデオストリームを出力する、
を含む方法を実行させる命令を記憶した非一時的コンピュータ可読記憶媒体。